(57)【要約】      （修正有）【課題】マスク本体部と着用者の顔面との間への花粉や微粒子の吸い込みが抑制されるマスクを提供する。【解決手段】マスク１は、マスク本体部３と、マスク本体部に設けられた耳掛け部５ａを備える。マスク本体部３は、着用者の鼻側に配置される上縁部３１と、着用者の顎側に配置され上縁部より長さの短い下縁部３３と、上縁部の一端と接する一端を有し、上縁部と直交する直線状の直交縁部３５ａと、直交縁部の他端と下縁部の一端とを結び、直交縁部と連なる斜縁部３７ａとを有する。耳掛け部５ａは、直交縁部の近傍領域に設けられる一端と、斜縁部の近傍領域に設けられる他端とを有する。【選択図】図１
0003200049.tif 000002
【実用新案登録請求の範囲】
【請求項１】
マスク本体部と、
前記マスク本体部に設けられた耳掛け部と
を備え、
前記マスク本体部は、
着用者の鼻側に配置される上縁部と、
前記着用者の顎側に配置され前記上縁部より長さの短い下縁部と、
前記上縁部の一端と接する一端を有し、前記上縁部と直交する直線状の直交縁部と、
前記直交縁部の他端と前記下縁部の一端とを結び、前記直交縁部と連なる斜縁部と
を有し、
前記耳掛け部は、
前記直交縁部の近傍領域に設けられる一端と、前記斜縁部の近傍領域に設けられる他端とを有する、マスク。
【請求項２】
前記マスク本体部は、
積層された複数のシート状部材と、
前記マスク本体部の周縁領域に設けられて前記複数のシート状部材が互いに溶着された溶着部とを有し、
前記直交縁部の近傍領域及び前記斜縁部の近傍領域は、前記溶着部の一部を含む領域である、
請求項１記載のマスク。
【請求項３】
前記マスク本体部は、
前記直交縁部と前記斜縁部とに跨る領域に設けられて前記マスク本体部の内側に向かって切り欠かれた切欠き部を有する、
請求項１又は２記載のマスク。
【請求項４】
前記斜縁部は、屈曲した形状の屈曲部を有する、
請求項１から３のいずれか一項に記載のマスク。
【請求項５】
前記耳掛け部の他端が設けられる前記斜縁部の近傍領域は、
前記直交縁部と連なる前記斜縁部の一端及び前記下縁部と連なる前記斜縁部の他端のいずれよりも前記屈曲部の近くに位置している、
請求項４記載のマスク。
【請求項６】
前記マスク本体部は、
前記上縁部の延伸方向に対して折り目が並列に形成されている襞部を有する、
請求項１から５のいずれか一項に記載のマスク。
【請求項７】
前記上縁部の長さに対する前記下縁部の長さの比率は、３０％以上かつ５０％未満である、
請求項１から６のいずれか一項に記載のマスク。
【請求項８】
前記耳掛け部の太さは、前記耳掛け部が自然長の状態で５ｍｍである、
請求項１から７のいずれか一項に記載のマスク。
【考案の詳細な説明】
【技術分野】
【０００１】
本考案は、着用者の顔に装着されるマスクに関する。
【背景技術】
【０００２】
マスクには、プリーツ型や立体型など、種々の形状のマスクがある。特許文献１には、プリーツ型のマスクが開示されている。図６は、特許文献１に記載されたプリーツ型のマスク９００の正面図であり、マスク９００の使用前の状態を示している。図６に示すように、マスク９００は、シート材料を折り畳んで構成されたマスク本体９２０と、マスク本体９２０の左右両側部にそれぞれ取り付けられた耳掛け紐９９０とを備えている。
【先行技術文献】
【特許文献】
【０００３】
【特許文献１】特開２００７−９７９０４号公報
【考案の概要】
【考案が解決しようとする課題】
【０００４】
一般的なプリーツ型マスクでは、マスクを着用する際に着用者がマスク本体を縦方向に引き伸ばして耳掛け紐を耳に掛けると、マスク本体の左右両側部のうち、耳掛け紐に接続された部位が耳掛け紐によって耳側に引っ張られるのに対し、マスク本体の中央部分は着用者の顔面側に留まる。このため、マスク本体の左右両側部は使用前の状態と比べて例えば正面側に迫り出すように湾曲し、マスク着用時にマスク本体と着用者の顔面、特に頬の部分との間に隙間が生じてしまう。この隙間から花粉や微粒子が侵入してしまうため、従来のプリーツ型マスクでは、マスク本体と着用者の顔面（特に鼻及び口）との間への花粉や微粒子の吸い込みを十分に防止できないという問題がある。
【０００５】
本考案の目的は、マスク本体部と着用者の顔面との間への花粉や微粒子の吸い込みを抑制することができるマスクを提供することにある。
【課題を解決するための手段】
【０００６】
本考案の一態様によるマスクは、マスク本体部と、前記マスク本体部に設けられた耳掛け部とを備え、前記マスク本体部は、着用者の鼻側に配置される上縁部と、前記着用者の顎側に配置され前記上縁部より長さの短い下縁部と、前記上縁部の一端と接する一端を有し、前記上縁部と直交する直線状の直交縁部と、前記直交縁部の他端と前記下縁部の一端とを結び、前記直交縁部と連なる斜縁部とを有し、前記耳掛け部は、前記直交縁部の近傍領域に設けられる一端と、前記斜縁部の近傍領域に設けられる他端とを有する。
【考案の効果】
【０００７】
本考案によれば、マスク本体部と着用者の顔面との間への花粉や微粒子の吸い込みを抑制することができる。
【図面の簡単な説明】
【０００８】
【図１】本考案の第１実施形態によるマスク１の概略構成を示す正面図であって、マスク１を着用者が装着した際に外側に向けられる側から見た図である。
【図２】本考案の第１実施形態によるマスク１の概略構成を示す背面図であって、マスク１を着用者が装着した際に着用者側に向けられる側（裏面側）から見た図である。
【図３】本考案の第１実施形態によるマスク１の断面を示す図であって、図１に示す仮想直線である中心線Ａ−Ａでマスク１を切断した切断面を模式的に示している。
【図４】本考案の第１実施形態によるマスク１の使用状態を模式的に示す図である。
【図５】本考案の第２実施形態によるマスク１０の概略構成を示す正面図であって、マスク１０を着用者が装着した際に外側に向けられる側から見た図である。
【図６】従来技術によるマスク９００の概略構成を示す平面図である。
【考案を実施するための形態】
【０００９】
〔第１実施形態〕
本考案の第１実施形態によるマスクについて、図１から図４を用いて説明する。
図１に示すように、本実施形態によるマスク１は、マスク本体部３と、マスク本体部３に設けられた耳掛け部５ａ，５ｂとを備えている。マスク本体部３は、着用者の口を少なくとも覆う大きさを有している。
【００１０】
まず、マスク１のマスク本体部３について説明する。マスク本体部３は、着用者がマスク１を装着した際に着用者の鼻側に配置される上縁部３１と、着用者の顎側に配置され上縁部３１より長さの短い下縁部３３とを有している。上縁部３１と下縁部３３とは、平行に配置されている。マスク本体部３において、上縁部３１の長さに対する下縁部３３の長さの比率は、例えば３０％以上かつ５０％未満である。さらに、マスク本体部３は、上縁部３１の一端と接する一端を有し上縁部３１と直交する直線状の直交縁部３５ａと、直交縁部３５ａの他端と下縁部３３の一端とを結び直交縁部３５ａと連なる斜縁部３７ａとを有している。直交縁部３５ａと上縁部３１とで形成される角部３５５ａは、曲線形状に形成されている。これにより、着用者がマスク１を装着した際に、マスク本体部３の角部３５５ａが着用者の頬に触れても着用者に痛みや痒みなどの不快感を与えないようになっている。
【００１１】
斜縁部３７ａは、マスク本体部３の外側方向へ突出するように屈曲した形状の屈曲部３７３ａを有している。具体的には、斜縁部３７ａは、直交縁部３５ａの他端と屈曲部３７３ａとを結ぶ直線状の上側斜縁１３７ａと、屈曲部３７３ａと下縁部３３の一端とを結ぶ直線状の下側斜縁１３９ａとで構成され、屈曲部３７３ａにおいて、上縁部３１に対して下縁部３３が配置されている側に向かって屈曲している。また、屈曲部３７３ａにおけるマスク本体部３の内角αは、鈍角である。
【００１２】
マスク本体部３は、積層された第１及び第２シート状部材（複数のシート状部材の一例）１１，１３と、マスク本体部３の周縁領域に設けられて第１及び第２シート状部材１１，１３が互いに溶着された溶着部３１０ａ，３１０ｂ，３１０ｃ，３１０ｄ，３１０ｅ，３１０ｆ（以下、「溶着部３１０ａ〜３１０ｆ」と略記する場合がある）とを有している。第１及び第２シート状部材１１，１３のそれぞれは、例えば熱可塑性合成樹脂を素材とする不織布で形成されている。本実施形態によるマスク１では、第１シート状部材１１は複数の不織布を積層して形成され、第２シート状部材１３は１枚（単層）の不織布で形成されている。しかし、第１シート状部材１１及び第２シート状部材１３における不織布の積層数はこれに限られず、第１シート状部材１１及び第２シート状部材１３がともに複数の不織布を積層して形成されていてもよく、第１シート状部材１１が単層の不織布で形成され、第２シート状部材１３が複数の不織布を積層して形成されていてもよい。また、第１シート状部材１１及び第２シート状部材１３がともに単層の不織布で形成されていてもよい。
【００１３】
第１シート状部材１１及び第２シート状部材１３は積層されて溶着部３１０ａ〜３１０ｆにおいて溶着されている。言い換えると、マスク本体部３は第１シート状部材１１及び第２シート状部材１３を重ね合わせた二層構造を有している。第２シート状部材１３は、第１シート状部材１１の全面に対向して設けられている。マスク本体部３の上縁部３１及び下縁部３３は、第１シート状部材１１の折り返し部分の頂部によって形成されている。また、マスク本体部３の直交縁部３５ａ、斜縁部３７ａ、直交縁部３５ｂ及び斜縁部３７ｂのそれぞれは、第１及び第２シート状部材１１，１３の端部が合さって形成されている。
【００１４】
溶着部３１０ｅ，３１０ａ，３１０ｃ，３１０ｆ，３１０ｄ，３１０ｂは、マスク本体部３の外周面を形成する上縁部３１、直交縁部３５ａ、斜縁部３７ａ、下縁部３３、斜縁部３７ｂ及び直交縁部３５ｂに沿って形成されている。溶着部３１０ｅ，３１０ａ，３１０ｃ，３１０ｆ，３１０ｄ，３１０ｂは、上縁部３１、直交縁部３５ａ、斜縁部３７ａ、下縁部３３、斜縁部３７ｂ及び直交縁部３５ｂの近傍において、マスク本体部３の正面及び裏面の所定の領域に形成されている。図１及び図２では、溶着部３１０ａ〜３１０ｆにおいて実際に溶着されている部位は、白色の四角枠で図示されている。
【００１５】
マスク本体部３は、上縁部３１側に設けられ、上縁部３１の一部を所定の形状で保持する保形部材９を有している。保形部材９は、上縁部３１の近傍に設けられた領域である溶着部３１０ｅに配置されている。保形部材９は、溶着部３１０ｅにおいて折り返されて溶着された第１シート状部材１１に挟まれて配置されている。これにより、保形部材９は、折り返された第１シート状部材１１によって挟まれるので、所定位置からほとんどずれずに溶着部３１０ｅに配置される。
【００１６】
保形部材９は、薄板長方形状を成すように形成されている。保形部材９は、可撓性の熱可塑性樹脂（例えばプラスチック）などで形成されている。保形部材９は、着用者が容易に曲げることができるようになっている。また、保形部材９は、一旦所定形状に変形すると、再び外力がかからない限りその所定形状を保持するようになっている。このため、着用者がマスク１を着用した後に保形部材９を鼻の形状に合わせて変形させると、保形部材９は、マスク本体部３の上縁部３１及び溶着部３１０ｅの一部を着用者の鼻の形状に合った状態で保持できる。これにより、保形部材９は、上縁部３１及び溶着部３１０ｅと着用者の顔面との間に隙間が生じるのを防止できる。
【００１７】
マスク本体部３は、直交縁部３５ａと斜縁部３７ａとに跨る領域に設けられてマスク本体部３の内側、すなわち中心部に向かって切り欠かれた切欠き部３９ａを有している。切欠き部３９ａは、マスク本体部３の中心部に向かってＶ字形状に食い込んでいる。切欠き部３９ａにおいて最もマスク本体部３の中心部に近い頂部は、直交縁部３５ａの他端と斜縁部３７ａの上側斜縁１３７ａの一端とによって形成されている。
【００１８】
図１及び図２に示すように、マスク本体部３は、上縁部３１の中心点と下縁部３３の中心点とを結んだ中心線Ａ−Ａを対称軸として左右が線対称の構造を有している。具体的には、マスク本体部３は、中心線Ａ−Ａを対称軸として直交縁部３５ａと線対称の関係にある直交縁部３５ｂと、中心線Ａ−Ａを対称軸として斜縁部３７ａと線対称の関係にある斜縁部３７ｂとを有している。また、マスク本体部３は、中心線Ａ−Ａを対称軸として切欠き部３９ａと線対称の関係にある切欠き部３９ｂを有している。さらに、マスク本体部３は、中心線Ａ−Ａを対称軸として溶着部３１０ａと線対称の関係にある溶着部３１０ｂと、中心線Ａ−Ａを対称軸として溶着部３１０ｃと線対称の関係にある溶着部３１０ｄとを有している。
【００１９】
直交縁部３５ｂは、上縁部３１の他端と接する一端を有し、上縁部３１と直交する直線状に形成されている。直交縁部３５ｂと上縁部３１とで形成される角部３５５ｂは、曲線形状に形成されている。斜縁部３７ｂは、直交縁部３５ｂの他端と下縁部３３の他端とを結び、直交縁部３５ｂと連なるように形成されている。また、斜縁部３７ｂは、屈曲した形状の屈曲部３７３ｂを有している。さらに、斜縁部３７ｂは、直交縁部３５ｂの他端と屈曲部３７３ｂとを結ぶ直線状の上側斜縁１３７ｂと、屈曲部３７３ｂと下縁部３３の他端とを結ぶ直線状の下側斜縁１３９ｂとを有している。屈曲部３７３ｂは、中心線Ａ−Ａを対称軸として屈曲部３７３ａと線対称の関係にあり、上側斜縁１３７ｂは、中心線Ａ−Ａを対称軸として上側斜縁１３７ａと線対称の関係にあり、下側斜縁１３９ｂは、中心線Ａ−Ａを対称軸として下側斜縁１３９ａと線対称の関係にある。また、切欠き部３９ｂにおいて最もマスク本体部３の中心部に近い頂部は、直交縁部３５ｂの他端と斜縁部３７ｂの上側斜縁１３７ｂの一端とによって形成されている。
【００２０】
なお、中心線Ａ−Ａを対称軸として線対称の関係にある一対の構造同士は、マスク本体部３を中心線Ａ−Ａで折り畳んだ場合に同一形状となり、同等の作用・効果を有する。したがって、直交縁部３５ａと直交縁部３５ｂとは同等の作用・効果を有し、斜縁部３７ａと斜縁部３７ｂとは同等の作用・効果を有する。また、切欠き部３９ａと切欠き部３９ｂとは同等の作用・効果を有する。さらに、溶着部３１０ａと溶着部３１０ｂとは同等の作用・効果を有し、溶着部３１０ｃと溶着部３１０ｄとは同等の作用・効果を有する。
【００２１】
次に、耳掛け部５ａ，５ｂについて説明する。図１及び図２に示すように、マスク１は、マスク本体部３に環状に接続された耳掛け部５ａ，５ｂを有している。耳掛け部５ａ，５ｂの一端と他端とは、それぞれ、切欠き部３９ａ，３９ｂを挟んでマスク本体部３に設けられている。耳掛け部５ａ，５ｂは互いに同一寸法かつ同一形状であって同等の作用・効果を有する。このため、以下、耳掛け部の詳細な構成について耳掛け部５ａを例にとって説明し、耳掛け部５ｂについては説明を省略する。
【００２２】
耳掛け部５ａは、糸状部材を編組して伸縮性を有する紐状に形成されている。耳掛け部５ａは、糸状部材を編組して形成されたメッシュ構造の側壁を備えた筒形状を有している。耳掛け部５ａ，は、例えばリリアン編み又は筒編みにより形成さている。耳掛け部５ａを構成する糸状部材は、熱可塑性合成樹脂で形成されている。耳掛け部５ａは、熱可塑性合成樹脂として例えばポリウレタン及びポリエステルが用いられている。耳掛け部５ａは、糸状のポリウレタン及びポリエステルを交差して編むことによって形成されている。また、快適な装着感を考慮すると、耳掛け部５ａの太さ（溶着部分を除く）は、マスク１の装着前の状態、すなわち自然長の状態で直径５ｍｍであることが望ましい。耳掛け部５ｂは、耳掛け部５ａと同様の素材で形成され、同様の形状を有している。
【００２３】
また、耳掛け部５ａ，５ｂは、伸長した状態から伸長していない状態に戻ろうとする戻り力が所定の範囲となるように形成されている。このため、マスク１は、着用者がマスク１を長時間装着していても、着用者の耳に痛みや痒みなどの不快感を与えないようになっている。
【００２４】
図２に示すように、耳掛け部５ａは、直交縁部の近傍領域３５１ａに設けられる一端と、斜縁部の近傍領域３７１ａに設けられる他端とを有している。耳掛け部５ａは、マスク本体部３の裏面（着用者側の面）において直交縁部の近傍領域３５１ａ及び斜縁部の近傍領域３７１ａに溶着されることでマスク１に接続されている。
【００２５】
耳掛け部５ａの一端が設けられている直交縁部の近傍領域３５１ａは、溶着部３１０ａ及び溶着部３１０ｅの一部を含む領域である。直交縁部の近傍領域３５１ａは、溶着部３１０ａ，３１０ｅが交差する交差領域の一部を含んでいる。また、耳掛け部５ａの他端が設けられている斜縁部の近傍領域３７１ａは、溶着部３１０ｃの一部を含む領域である。直交縁部の近傍領域３５１ａは、着用者側から見てマスク本体部３の左上に配置された角部３５５ａの近傍に位置しており、直交縁部３５ａの他端よりも直交縁部３５ａの一端の近くに位置している。また、直交縁部の近傍領域３５１ａは、直交縁部３５ａの他端よりも、上縁部３１の一端に近くに位置している。さらに、斜縁部の近傍領域３７１ａは、上側斜縁１３７ａの一端及び下側斜縁１３９ａの他端のいずれよりも屈曲部３７３ａの近くに位置している。
【００２６】
直交縁部の近傍領域３５１ａは、図２に示す位置に限られず、溶着部３１０ａの少なくとも一部を含み、溶着部３１０ａに隣接する位置に設けられていればよい。例えば直交縁部の近傍領域３５１ａは、溶着部３１０ａの少なくとも一部を含み溶着部３１０ａと溶着部３１０ｅとの交差領域の直下の位置に設けられていてもよい。また、斜縁部の近傍領域３７１ａも、図２に示す位置に限られず、斜縁部３７ａの近傍であれば、屈曲部３７３ａよりも下側斜縁１３９ａの他端に近い位置に設けられていてもよい。例えば斜縁部の近傍領域３７１ａは、屈曲部３７３ａよりも下縁部３３に近い位置に設けられていてもよい。
【００２７】
マスク本体部３は、中心線Ａ−Ａを対称軸として直交縁部の近傍領域３５１ａと線対称の関係にある直交縁部の近傍領域３５１ｂと、中心線Ａ−Ａを対称軸として斜縁部の近傍領域３７１ａと線対称の関係にある斜縁部の近傍領域３７１ｂとを有している。直交縁部の近傍領域３５１ａと直交縁部の近傍領域３５１ｂとが線対称の位置に設けられ、斜縁部の近傍領域３７１ａと斜縁部の近傍領域３７１ｂとが線対称の位置に設けられていることにより、耳掛け部５ａ，５ｂはマスク本体部３において線対称の位置に接続される。このため、装着時においてマスク１は着用者の顔面にバランスよく装着され、快適な装着感が得られる。
【００２８】
次に図１、図２を参照しつつ図３を用いて第1シート状部材１１、第２シート状部材１３が襞状に折りたたまれる構造について説明する。
マスク１は、第１シート状部材１１及び第２シート状部材１３を襞状に折り畳んでマスク本体部３が形成された襞型（プリーツ型）のマスクである。図１から図３に示すように、マスク本体部３は、直交縁部３５ａ及び斜縁部３７ａと、直交縁部３５ｂ及び斜縁部３７ｂとの間に亘って形成された複数の折り目によって段階的に折り畳まれて形成されている。なお、第２シート状部材１３は、第１シート状部材１１の全面に対向して設けられているが、理解を容易にするため、後述する上側襞部７３ａ及び第３下側襞部７９ｂと対向してマスク本体部３の裏面側に設けられた第２シート状部材１３のみを図示している。
【００２９】
具体的には、マスク本体部３は、上縁部３１の延伸方向に対して折り目が並列に形成されている襞部７を有している。襞部７は、第１シート状部材１１と第２シート状部材１３とが折り畳まれて形成されている。図３に示すように、襞部７は、中央に設けられた中央襞部７１と、中央襞部７１の折り返し部７１１ａと一部が対向して上縁部３１側に設けられた上側襞部７３ａとを有している。上側襞部７３ａの上端側は、マスク本体部３の上縁部３１側で、第１シート状部材１１が折り返されて形成されている。上側襞部７３ａにおける第１シート状部材１１の折り返し部分の頂部は、上縁部３１を形成している。上側襞部７３ａ内の空間部には保形部材９が配置されている。また、襞部７は、中央襞部７１の折り返し部７１１ｂと一部が対向して下縁部３３側に設けられた第１下側襞部７５ｂと、第１下側襞部７５ｂの折り返し部７５１ｂと一部が対向して第１下側襞部７５ｂよりも下縁部３３側に設けられた第２下側襞部７７ｂと、第２下側襞部７７ｂの折り返し部７７１ｂと一部が対向して第２下側襞部７７ｂよりも下縁部３３側に設けられた第３下側襞部７９ｂとを有している。また、第３下側襞部７９ｂにおける第１シート状部材１１の折り返し部分の頂部は、下縁部３３を形成している。
【００３０】
襞部７が有する上側襞部７３ａ、中央襞部７１、第１下側襞部７５ｂ、第２下側襞部７７ｂ及び第３下側襞部７９ｂの折り目は上縁部３１の延伸方向に対して並列に形成されている。このため、上側襞部７３ａ、中央襞部７１、第１下側襞部７５ｂ、第２下側襞部７７ｂ及び第３下側襞部７９ｂは、マスク本体部３において上縁部３１の延伸方向に対して並列して配置されている。また、折り返し部７１１ａ，７１１ｂ，７５１ｂ，７７１ｂもマスク本体部３において上縁部３１の延伸方向に対して並列して配置されている。
【００３１】
襞部７は、中央襞部７１の上側と下側で非対称になっている。図３に示すように、中央襞部７１の上側には１つの襞部（上側襞部７３ａ）が設けられ、中央襞部７１の下側には３つの襞部（第１下側襞部７５ｂ、第２下側襞部７７ｂ及び第３下側襞部７９ｂ）が設けられている。なお、襞部７を折り畳んだ状態のマスク本体部３では、第１シート状部材１１と第２シート状部材１３との間には図３に示すような隙間は生じない。
【００３２】
次に、本実施形態によるマスク１の使用態様について、図１及び図２を参照しつつ図４を用いて説明する。図１及び図２に示すように使用前のマスク１は、中央襞部７１、第１下側襞部７５ｂ、第２下側襞部７７ｂ及び第３下側襞部７９ｂが折り畳まれた状態にある。マスク１が折り畳まれた状態では、マスク本体部３は上縁部３１と下縁部３３との間が最も短い状態である収縮状態になっている。マスク本体部３は、収縮状態では平坦な状態を有している。マスク１の使用時において着用者が上縁部３１及び下縁部３３が互いに離れる方向にマスク本体部３を引っ張ると、図４に示すように、マスク本体部３は展開される。マスク本体部３において、上縁部３１と下縁部３３との間が収縮状態よりも長い状態が伸長状態である。
【００３３】
より具体的に、中央襞部７１の折り返し部７１１ａと、折り返し部７１１ａに対向配置されていた上側襞部７３ａの一部とが中央襞部７１の下方から引き出される。同様に、中央襞部７１の折り返し部７７１ｂと、折り返し部７７１ｂに対向配置されていた第１下側襞部７５ｂの一部とが中央襞部７１の下方から引き出される。また、第１下側襞部７５ｂの折り返し部７５１ｂと、折り返し部７５１ｂに対向配置されていた第２下側襞部７７ｂとが第１下側襞部７５ｂの下方から引き出される。さらに、第２下側襞部７７ｂの折り返し部７７１ｂと、折り返し部７７１ｂに対向配置されていた第３下側襞部７９ｂとが第２下側襞部７７ｂの下方から引き出される。このように、マスク本体部３は、襞部７の各襞部（上側襞部７３ａ、中央襞部７１、第１下側襞部７５ｂ、第２下側襞部７７ｂ及び第３襞部７９ｂ）及び折り返し部７１１ａ，７１１ｂ，７５１ｂ，７７１ｂを用いて展開することができる。中央襞部７１、第１下側襞部７５ｂ、第２下側襞部７７ｂ及び第３下側襞部７９ｂのうち何れか１つが少しでも展開していれば、マスク本体部３は伸長状態に該当する。
【００３４】
マスク本体部３の中央襞部７１、上側襞部７３ａ、第１下側襞部７５ｂ、第２下側襞部７７ｂ及び第３下側襞部７９ｂは、マスク本体部３の溶着部３１０ａ，３１０ｃ及び溶着部３１０ｂ，３１０ｄでは展開できない。一方、マスク本体部３は、図１及び図２に示す中心線Ａ−Ａに近付くほど襞部７の各襞部（上側襞部７３ａ、中央襞部７１、第１下側襞部７５ｂ、第２下側襞部７７ｂ及び第３襞部７９ｂ）が展開される幅が大きくなる。このため、マスク本体部３を展開すると、上縁部３１と下縁部３３との距離は溶着部３１０ａ，３１０ｃ及び溶着部３１０ｂ，３１０ｄの双方から中心線Ａ−Ａに向かって徐々に長くなり、マスク本体部３は、溶着部３１０ａ，３１０ｃ及び溶着部３１０ｂ，３１０ｄの双方から中央襞部７１の中心線Ａ−Ａ付近に向かって、マスク１の正面側に膨らんだ形状となる。耳掛け部５ａを左耳に掛け、耳掛け部５ｂを右耳に掛けると、中央襞部７１の中心線Ａ−Ａ付近は、着用者の口元に配置され、上側襞部７３ａが着用者の鼻側に配置され、第１〜第３下側襞部７５ｂ，７７ｂ，７９ｂが着用者の顎側に配置される。マスク本体部３は、中央襞部７１の中心線Ａ−Ａ付近に向かって、膨らんだ形状を有しているため、着用者の鼻の頭から口元にかけてマスク本体部３の裏面側と着用者の顔面との間には空間が形成される。これにより、着用者は息苦しさを感じずに長時間マスク１を着用できる。
【００３５】
図２に示すように、耳掛け部５ａの他端が溶着されている斜縁部の近傍領域３７１ａは、耳掛け部５ａの一端が溶着されている直交縁部の近傍領域３５１ａに比べてマスク本体部３における中心線Ａ−Ａ側に設けられている。このため、耳掛け部５ａの他端は、耳掛け部５ａの一端に比べてマスク本体部３における中心線Ａ−Ａ側に接続されている。同様に、耳掛け部５ｂの他端が溶着されている斜縁部の近傍領域３７１ｂも耳掛け部５ｂの一端が溶着されている直交縁部の近傍領域３５１ｂに比べてマスク本体部３における中心線Ａ−Ａ側に設けられている。このため、耳掛け部５ｂの他端は、耳掛け部５ｂの一端に比べてマスク本体部３における中心線Ａ−Ａ側に接続されている。
【００３６】
さらに、マスク本体部３を展開すると、斜縁部３７ａは直交縁部３５ａに対してマスク本体部３の裏面側に所定範囲で回転する。この回転及び耳掛け部５ａの他端が一端に比べて中心線Ａ−Ａ側に接続されていることによって、図４に示すように、マスク１の装着時において直交縁部３５ａ及び上側斜縁１３７ａは、耳掛け部５ａの一端と他端との間で直線状となり、着用者の左頬に沿う形状を形成する。また、同様に、マスク本体部３を展開すると、斜縁部３７ｂも直交縁部３５ｂに対してマスク本体部３の裏面側に所定範囲で回転する。この回転及び耳掛け部５ｂの他端が一端に比べて中心線Ａ−Ａ側に接続されていることによって、直交縁部３５ｂ及び上側斜縁１３７ｂは、耳掛け部５ｂの一端と他端との間で直線状となり、着用者の右頬に沿う形状を形成する。
また、溶着部３１０ａは直交縁部３５ａに沿うように設けられ、溶着部３１０ｃは斜縁部３７ａに沿うように設けられている。同様に、溶着部３１０ｂは直交縁部３５ｂに沿うように設けられ、溶着部３１０ｄは斜縁部３７ｂに沿うように設けられている。このため、マスク１の装着時において、溶着部３１０ａ及び溶着部３１０ｃは、耳掛け部５ａの一端と他端との間で直線状となり、溶着部３１０ａ及び溶着部３１０ｃと着用者の左頬との間に隙間が生じるのが防止される。同様に、マスク１の装着時において、溶着部３１０ｂ及び溶着部３１０ｄは、耳掛け部５ａの一端と他端との間で直線状となり、溶着部３１０ｂ及び溶着部３１０ｄと着用者の右頬との間に隙間が生じるのが防止される。
【００３７】
マスク１は、マスク本体部３と着用者の頬との間に隙間が生じるのを防止できるので、マスク１の装着中にマスク本体部３と着用者の顔面との間に形成される空間に花粉や埃などの微粒子等が進入するのを抑制できる。また、直交縁部３５ａ及び上側斜縁１３７ａ並びに直交縁部３５ｂ及び上側斜縁１３７ｂが着用者の頬に沿う形状を形成するので、マスク１は、着用者がマスク１を長時間装着していても不快感を与えず、快適な装着感を持続させることができる。
【００３８】
また、マスク本体部３に備えられた切欠き部３９ａ，３９ｂは、マスク本体部３を展開したときに、直交縁部３５ａと斜縁部３７ａとの間及び直交縁部３５ｂと斜縁部３７ｂとの間にそれぞれ生じる曲げ応力を逃がす応力逃げ部として機能する。これにより、マスク本体部３と着用者の頬との間に隙間が形成されるのが防止される。具体的には、斜縁部３７ａは、切欠き部３９ａの頂部を回転の中心として直交縁部３５ａの側に向かって回転できるので、マスク本体部３を展開したときに直交縁部３５ａと斜縁部３７ａとに生じる応力を抑制することができる。同様に、斜縁部３７ｂは、切欠き部３９ｂの頂部を回転の中心として直交縁部３５ｂの側に向かって回転できるので、マスク本体部３を展開したときに直交縁部３５ｂと斜縁部３７ｂとに生じる応力を抑制することができる。このようにして、切欠き部３９ａ，３９ｂは、曲げ応力によってマスク本体部３と着用者の頬との間に生じる隙間を低減することができる。このため、マスク１は、マスク１の装着中にマスク本体部３と着用者の頬との間に形成される空間に花粉や埃などの微粒子等が進入するのをさらに抑制できる。
【００３９】
また、マスク１は、保形部材９を有している。保形部材９は、着用者がマスク１を装着した後に鼻の形状に合わせて変形させることができるので、マスク本体部３において上縁部３１に沿うように設けられた溶着部３１０ｅと着用者の鼻周辺との間に隙間が生じるのを防止できる。これにより、マスク１は、マスク１の装着中にマスク本体部３と着用者の鼻周辺との間に形成される空間に花粉や埃などの微粒子等が進入するのを抑制できる。
【００４０】
さらに、マスク本体部３は、上述したように上縁部３１よりも下縁部３３が短く形成されているので、マスク１の装着時において、図４に示すように下縁部３３が着用者の顎下に沿う形状を形成する。このため、マスク本体部３において下縁部３３に沿うように設けられた溶着部３１０ｆと着用者の顎周辺との間に隙間が生じるのを防止できる。これにより、マスク１は、マスク１の装着中にマスク本体部３と着用者の顎周辺との間に形成される空間に花粉や埃などの微粒子等が進入するのを抑制できる。
【００４１】
以上、説明したように、第１実施形態によるマスク１は、マスク本体部３と、マスク本体部３に設けられた耳掛け部５ａとを備え、マスク本体部３は、着用者の鼻側に配置される上縁部３１と、着用者の顎側に配置され上縁部３１より長さの短い下縁部３３と、上縁部３１の一端と接する一端を有し上縁部３１と直交する直線状の直交縁部３５ａと、直交縁部３５ａの他端と下縁部の一端とを結び、直交縁部３５ａと連なる斜縁部３７ａとを有し、耳掛け部５ａは、直交縁部の近傍領域３５１ａに設けられる一端と、斜縁部の近傍領域３７１ａに設けられる他端とを有する。これにより、マスク１では、マスク本体部３と着用者の顔面との間への花粉や微粒子の吸い込みが抑制されるとともに、快適な装着感が持続される。
また、マスク１において、マスク本体部３は、積層された第１シート状部材１１，第２シート状部材１３と、マスク本体部３の周縁領域に設けられて第１シート状部材１１，第２シート状部材１３が互いに溶着された溶着部３１０ａ〜３１０ｆとを有し、直交縁部の近傍領域３５１ａ及び斜縁部の近傍領域３７１ａは、溶着部３１０ａ，３１０ｃ及び溶着部３１０ｃの一部を含む領域である。
【００４２】
また、マスク本体部３は、直交縁部３５ａと斜縁部３７ａとに跨る領域に設けられてマスク本体部３の内側に向かって切り欠かれた切欠き部３９ａを有する。切欠き部３９ａは、マスク本体部３を展開したときに直交縁部３５ａと斜縁部３７ａとに生じる応力を抑制することができるので、曲げ応力によってマスク本体部３と着用者の頬との間に生じる隙間を低減することができる。
【００４３】
また、斜縁部３７ａは、屈曲した形状の屈曲部３７３ａを有する。さらに、耳掛け部５ａの他端が設けられる斜縁部の近傍領域３７１ａは、直交縁部３５ａと連なる斜縁部３７ａの一端及び下縁部３３と連なる斜縁部３７ａの他端のいずれよりも屈曲部３７３ａの近くに位置している。これにより、マスク１では、マスク本体部３と着用者の顔面との間への花粉や微粒子の吸い込みがさらに抑制されるとともに、快適な装着感が持続される。
【００４４】
マスク本体部３は、上縁部３１の延伸方向に対して折り目が並列に形成されている襞部７を有する。これにより、マスク１は襞部７が折り畳まれた収縮状態と、襞部７を展開させた伸長状態とに可逆的に変更可能となっている。マスク本体部３は、収縮状態では平坦な状態を有しているので、マスク１はわずかなスペースにも収納可能であり、携行が容易である。また、マスク本体部３は、伸長状態では着用者の鼻の頭から口元にかけてマスク本体部３の裏面側と着用者の顔面との間に空間が形成されるので、着用者は息苦しさを感じずに長時間マスク１を着用できる。
【００４５】
また、マスク１において、上縁部３１の長さに対する下縁部３３の長さの比率は、３０％以上かつ５０％未満である。これにより、マスク１は、下縁部３３が着用者の顎に沿い易くなり、快適な装着感が持続する。
また、耳掛け部５ａの太さは、耳掛け部５ａが自然長の状態で５ｍｍである。これにより、マスク１の装着時において、着用者の耳の後ろ側が耳掛け部５ａから受ける圧力が小さくなるので、マスク１では、より快適な装着感を得られる。
【００４６】
〔第２実施形態〕
次に、本考案の第２実施形態によるマスク１０について、図５を参照して説明する。なお、上記第１実施形態によるマスク１と同一の機能・作用を奏する構成要素には、同一の符号を付して、説明は省略する。第２実施形態によるマスク１０は、マスク本体部３０が屈曲部を有さない斜縁部６７ａ，６７ｂを備えている点で、上記第１実施形態によるマスク１と異なる。具体的には、斜縁部６７ａは、直交縁部３５ａの他端と下縁部３３の一端とを結び、直交縁部３５ａと連なる直線形状を有している。また、斜縁部６７ｂは、直交縁部３５ｂの他端と下縁部３３の他端とを結び、直交縁部３５ａと連なる直線形状を有している。なお、マスク本体部３０は、斜縁部６７ａ，６７ｂを備えている点以外は上記実施形態１のマスク本体部３と同様の構成を有している。
【００４７】
マスク１０の装着時において直交縁部３５ａ及び斜縁部６７ａは、耳掛け部５ａの一端と他端との間で直線状となって、着用者の左頬に沿う形状を形成する。また、直交縁部３５ｂ及び斜縁部６７ｂも同様に、マスク１０の装着時において耳掛け部５ｂの一端と他端との間で直線状となって、着用者の右頬に沿う形状を形成する。このため、マスク１０の装着時に、溶着部３１０ａ，３１０ｃと着用者の左頬との間に隙間が生じるのを防止できる。同様に、マスク１０の装着時に、溶着部３１０ｂ，３１０ｄと着用者の右頬との間に隙間が生じるのを防止できる。このように、第２実施形態によるマスク１０は、上記第１実施形態によるマスク１と同様の作用効果を奏する。
【００４８】
本発明は、上記実施形態に限らず、種々の変形が可能である。
上記第１及び第２実施形態においてマスク本体部３，３０は、上縁部３１と直交する直交縁部３５ａ，３５ｂを有しているが、これに限られない。マスク本体部３，３０は、直交縁部３５ａ，３５ｂに代えて上縁部３１と直交しない側縁部を有していてもよい。例えば、側縁部と上縁部３１との成す角は鈍角であってもよい。
【００４９】
また、例えば切欠き部３９ａ，３９ｂのそれぞれに、薄地のシート状部材で形成されて折り畳み及び展開が可能な水かき状部材が設けられていてもよい。この場合、水かき状部材が折り畳み及び展開されることで、マスク本体部３が展開されたときに生じる曲げ応力を逃がす応力逃げ部として機能する。
【００５０】
上記の実施形態は、本考案の技術的思想を具体化するためのマスクを例示するものであって、本考案の技術的思想は、構成部品の材質、形状、構造、配置等を上記のものに特定するものでない。本考案の技術的思想は、実用新案登録請求の範囲に記載された請求項が規定する技術的範囲内において、種々の変更を加えることができる。また、上記実施の形態や変形例で記載した構成、材料、数値等は、あくまでも一例であって、当業者が思いつく程度に、実施の形態、変形例同士を適宜、組み合わせてもよい。
【符号の説明】
【００５１】
１，１０  マスク
３，３０  マスク本体部
５ａ，５ｂ  耳掛け部
７  襞部
９  保形部材
１１  第１シート状部材
１３  第２シート状部材
３１  上縁部
３３  下縁部
３５ａ，３５ｂ  直交縁部
３７ａ，３７ｂ，６７ａ，６７ｂ  斜縁部
３９ａ，３９ｂ  切欠き部
７１  中央襞部
７３ａ  上側襞部
７５ｂ  第１下側襞部
７７ｂ  第２下側襞部
７９ｂ  第３下側襞部
１３７ａ，１３７ｂ  上側斜縁
１３９ａ，１３９ｂ  下側斜縁
３１０ａ〜３１０ｆ  溶着部
３５１ａ，３５１ｂ  直交縁部の近傍領域
３５５ａ，３５５ｂ  角部
３７１ａ，３７１ｂ  斜縁部の近傍領域
【図１】
0003200049.tif 000003
【図２】
0003200049.tif 000004
【図３】
0003200049.tif 000005
【図４】
0003200049.tif 000006
【図５】
0003200049.tif 000007
【図６】
0003200049.tif 000008